(57)【要約】      （修正有）【課題】加熱調理器における操作手順や調理器の動作状況を音声により使用者に確実に明確に報知できる使用者が操作し易い使い勝手の良い加熱調理器を提供する。【解決手段】熱源を有する調理器本体と、調理器本体内の発熱部位に送風し強制冷却するファン１５と、熱源の電源を供給する制御基板２０と、冷却風の入口となる吸気口１３と、冷却風の出口となる排気口と、調理器本体前面を構成する飾り板８１と、調理器本体前面を構成する前パネル８２と、前パネル８２に音声発生手段８３と、を設け、飾り板８１の中央部分を固定せずに飾り板８１の外周を前パネル８２に固定し、飾り板８１には貫通孔を設けずに音声発生手段８３の前方の振動面と対向する前パネル８２に複数の貫通孔８５を有することにより音声により使用者に確実に明確に伝達することが可能となる。【選択図】図５
2014238257.tif 000002
【特許請求の範囲】
【請求項１】
天板に鍋を載置して加熱調理する熱源を有する調理器本体と、前記調理器本体内の発熱部位に送風し強制冷却するファンと、前記熱源の電源を供給する制御基板と、冷却風の入口となる吸気口と、冷却風の出口となる排気口と、前記調理器本体前面を構成する飾り板と、前記調理器本体前面を構成する前パネルと、前記前パネルに音声発生手段と、を設け、前記飾り板の中央部分を固定せずに前記飾り板の外周を前記前パネルに固定し、前記飾り板には貫通孔を設けずに前記音声発生手段の前方の振動面と対向する前記前パネルに複数の貫通孔を有する加熱調理器。
【請求項２】
前記音声発生手段の前方の前記前パネルに前記音声発生手段の周囲に当接する第１の凸形状を有する請求項１に記載の加熱調理器。
【請求項３】
前記音声発生手段の振動面から前記飾り板に至る第１の音声伝播経路の断面積が、前記音声発生手段の振動面から前記飾り板に近づくに従い大きくした請求項１または２に記載の加熱調理器。
【請求項４】
前記音声発生手段の振動面の後方であって、前記音声発生手段の周囲に当接する第２の凸形状を有し、前記前パネルに前記音声発生手段の周囲を挟み込み固定するスピーカ押さえを有することを特徴とした請求項１から３のいずれか１項に記載の加熱調理器。
【請求項５】
前記音声発生手段の振動面から吸気経路に至る第２の音声伝播経路の断面積が、前記音声発生手段の振動面から吸気経路に近づくに従い大きくなることを特徴とした請求項４に記載の加熱調理器。
【発明の詳細な説明】
【技術分野】
【０００１】
本発明は、操作手順や調理器の動作状況を音声により報知する加熱調理器に関するものである。
【背景技術】
【０００２】
従来、この種の加熱調理器は、可動式の操作部内に音声発生手段を備え、使用者に対し加熱調理器における操作手順や調理器の動作状況を音声により報知している（例えば、特許文献１参照）。
【先行技術文献】
【特許文献】
【０００３】
【特許文献１】特開２００６−３３１７７０号公報
【発明の概要】
【発明が解決しようとする課題】
【０００４】
しかしながら、前記従来の構成では、操作部が閉じた状態と開いた状態では音声発生手段から使用者に伝播する音の音圧や音質にばらつきが生じ使用者に確実に情報を提供できないという課題を有していた。
【０００５】
本発明は、前記従来の課題を解決するもので、加熱調理器における操作手順や調理器の動作状況を音声により使用者に確実に明確に報知できる使用者が操作し易い使い勝手の良い、商品価値の高い加熱調理器を提供することを目的とする。
【課題を解決するための手段】
【０００６】
前記従来の課題を解決するために、本発明の加熱調理器は、天板に鍋を載置して加熱調理する熱源を有する調理器本体と、前記調理器本体内の発熱部位に送風し強制冷却するファンと、前記熱源の電源を供給する制御基板と、冷却風の入口となる吸気口と、冷却風の出口となる排気口と、前記調理器本体前面を構成する飾り板と、前記調理器本体前面を構成する前パネルと、前記前パネルに音声発生手段と、を設け、前記飾り板の中央部分を固定せずに前記飾り板の外周を前記前パネルに固定し、前記飾り板には貫通孔を設けずに前記音声発生手段の前方の振動面と対向する前記前パネルに複数の貫通孔を有するものである。
【０００７】
これによって、音声発生手段の前面側の振動面から前パネルを通じて飾り板を振動させ音を伝播し使用者へと音声や音を確実に伝達し使用者へと音声や音を確実に伝達できる。
【０００８】
また、飾り板の外周部分のみ固定し、音声発生手段の前方の前パネルに貫通孔を有する構成とすることで飾り板が振動しやすく、音声発生手段から使用者に対し音や音声を明確に伝達しやすくなり、使い勝手が良く、商品価値が高い。また、前記飾り板には貫通孔を設けないので、調理等で発生した煮汁やその他の液体が音声発生手段の充電部へと至らない構成となる。そのため、特別、音声発生手段に防水構成手段を設けずにより安価に製造できる。
【発明の効果】
【０００９】
本発明の加熱調理器は、加熱調理器の使用者に対し、加熱調理器における操作手順や調理器の動作状況を音声により使用者に確実に明確に伝達することが可能となり使用者が加熱調理器を操作し易く使い勝手が良くなり商品価値を高めることができる。また、飾り板
の外周部分のみ固定し、音声発生手段の前方の前パネルに貫通孔を有する構成とすることで飾り板が振動しやすく、音声発生手段から使用者に対し音や音声を明確に伝達しやすくなり、使い勝手が良く、商品価値が高い。また、前記飾り板には貫通孔を設けないので、調理等で発生した煮汁やその他の液体が音声発生手段の充電部へと至らない構成となる。そのため、特別、音声発生手段に防水構成手段を設けずにより安価に製造できる。
【図面の簡単な説明】
【００１０】
【図１】本発明の参考の形態１における加熱調理器の詳細図
【図２】本発明の参考の形態１における加熱調理器の詳細図
【図３】本発明の参考の形態１における加熱調理器の詳細図
【図４】本発明の実施の形態１における加熱調理器の詳細図
【図５】本発明の実施の形態２における加熱調理器の詳細図
【図６】本発明の実施の形態３における加熱調理器の詳細図
【図７】本発明の実施の形態４における加熱調理器の詳細図
【図８】本発明の実施の形態５における加熱調理器の詳細図
【図９】本発明の実施の形態６における加熱調理器の詳細図
【発明を実施するための形態】
【００１１】
第１の発明は、天板に鍋を載置して加熱調理する熱源を有する調理器本体と、前記調理器本体内の発熱部位に送風し強制冷却するファンと、前記熱源の電源を供給する制御基板と、冷却風の入口となる吸気口と、冷却風の出口となる排気口と、前記調理器本体前面を構成する飾り板と、前記調理器本体前面を構成する前パネルと、前記前パネルに音声発生手段と、を設け、前記飾り板の中央部分を固定せずに前記飾り板の外周を前記前パネルに固定し、前記飾り板には貫通孔を設けずに前記音声発生手段の前方の振動面と対向する前記前パネルに複数の貫通孔を有するものである。これにより、使用者に対し音や音声を伝達する経路を備えることにより、加熱調理器における操作手順や調理器の動作状況を音声により使用者に確実に明確に伝達することが可能となる、その結果使用者が加熱調理器を操作し易い商品価値を高めた構成となる。よって使い勝手の良い、商品価値の高い加熱調理器とすることができる。また、飾り板の外周部分のみ固定し、音声発生手段の前方の前パネルに貫通孔を有する構成とすることで飾り板が振動しやすく、音声発生手段から使用者に対し音や音声を明確に伝達しやすくなり、使い勝手が良く、商品価値が高い。また、前記飾り板には貫通孔を設けないので、調理等で発生した煮汁やその他の液体が音声発生手段の充電部へと至らない構成となる。そのため、特別、音声発生手段に防水構成手段を設けずにより安価に製造できる。
【００１２】
第２の発明は、特に、第１の発明において、前記音声発生手段の前方の前記前パネルに前記音声発生手段の周囲に当接する第１の凸形状を有するものである。これにより、音声発生手段前方の空気量（容積）が増加し、そのことにより音声発生手段から前パネルを通じ飾り板へと音や音声の音圧や振動が伝わりやすく音声発生手段から使用者に対し音や音声を更に明確に伝達しやすくなり、使い勝手の良い、商品価値の高い加熱調理器とすることができる。
【００１３】
第３の発明は、特に、第１または第２の発明において、前記音声発生手段の振動面から前記飾り板に至る第１の音声伝播経路の断面積が、前記音声発生手段の振動面から前記飾り板に近づくに従い大きくしたものである。これにより、音声発生手段の振動面から放射された音が全方向へと拡散することを抑制し、使用者側である前方へと確実に放射されるので、音声発生手段から前パネルを通じ飾り板へと音や音声の音圧や振動が伝わりやすく音声発生手段から使用者に対し音や音声を更に明確に伝達しやすくなり、使い勝手の良い、商品価値の高い加熱調理器とすることができる。
【００１４】
第４の発明は、特に、第１〜３のいずれか１つの発明において、前記音声発生手段の振動面の後方であって、前記音声発生手段の周囲に当接する第２の凸形状をさらに有し、前記前パネルに前記音声発生手段の周囲を挟み込み固定するスピーカ押さえを有するものである。これにより、音声発生手段の振動面から前パネルへ伝達される振動および音が伝わりやすくなるので、音声発生手段から前パネルを通じ飾り板へと音や音声の音圧や振動が伝わりやすく音声発生手段から使用者に対し音や音声を更に明確に伝達しやすくなり、使い勝手の良い、商品価値の高い加熱調理器とすることができる。
【００１５】
第５の発明は、特に、第４の発明において、前記音声発生手段の振動面から吸気経路に至る第２の音声伝播経路の断面積が、前記音声発生手段の振動面から吸気経路に近づくに従い大きくなる構成としたものである。これにより、音声発生手段の振動面から吸気経路へ伝達される振動および音が伝わりやすくなるので、音声発生手段から吸気経路を吸気口へと音や音声の音圧や振動が伝わりやすく音声発生手段から使用者に対し音や音声を更に明確に伝達しやすくなり、使い勝手の良い、商品価値の高い加熱調理器とすることができる。
【００１６】
以下、本発明の実施の形態について、図面を参照しまがら説明する。なお、この実施の形態によって本発明が限定されるものではない。
【００１７】
（参考の形態１）
図１から３は本発明の第１の参考の形態における加熱調理器の詳細図を示すものである。
【００１８】
図１、図２、図３において、熱源１１を有する調理器本体１２と、調理器本体１２内の発熱部位１４に送風し強制冷却するファン１５と、熱源１１の電源を供給する制御基板２０と、冷却風の入口となる吸気口１３と、冷却風の出口となる排気口１０と、調理器本体１２前面を構成する飾り板８１と、飾り板８１を固定し調理器本体１２前面を構成する前パネル８２と、調理器本体１２前面とファン吸気口１７との間に音声発生手段８３とを設け、音声発生手段８３の振動面の一方を機器前面と対向する向きに、他方は吸気口１３からファン吸気口１７へと至る吸気経路８４を臨む位置に配置する。
【００１９】
以上のように構成された加熱調理器について、以下その動作、作用を説明する。
【００２０】
熱源にガス等の炎を用いた加熱調理器や磁界を発生し鍋等を加熱する誘導加熱コイルや電気的な抵抗に電流を流すことによりジュール熱を発生させる熱源等を有する加熱調理器の場合、調理器の動作を制御する制御基板が熱源で発生した熱により加熱される。
【００２１】
更に、誘導加熱コイルにより鍋を発熱させる加熱調理器においては、誘導加熱コイルや内部の制御基板の回路上を流れる電流と回路が持つ電気抵抗により誘導加熱コイルや制御基板が自己発熱する。
【００２２】
誘導加熱コイルや制御基板上の部品を耐熱温度以下に温度を下げるために、調理器外部の空気を吸気し、内部の部品を冷却した後、排気する強制空冷方式の冷却構成が必要となる。
【００２３】
図３に示すように、音声発生手段８３の振動面は調理器本体１２前面と対向する向きにその面同士が略平行になるよう設けられている．音声発生手段８３の振動面からは調理器本体１２の前面側と後面側の２方向に音声や音の振動が放射される。
【００２４】
この２方向に放射される音声や音の振動の内、前面側に放射された音声や音の振動は調
理器本体１２前面を構成する前パネル８２に伝達する。
【００２５】
前パネル８２に伝達した音声や音の振動は調理器本体１２前面に取り付けられた飾り板８１に伝達する。飾り板８１や前パネル８２に伝達した音声や音の振動は調理器本体１２外の空間に充満している空気を伝播し、使用者へと音や音声等が伝達する。
【００２６】
一方、後面側に放射された音声や音の振動は吸気口１３からファン吸気口１７へと至る吸気経路８４内に充満している空気を伝播し調理器本体１２外に放射される．放射された音や音声の振動は調理器本体１２外の空間に充満している空気を伝播し、使用者へと音や音声等が伝達する。
【００２７】
このように、２つの経路で音や音声等を音声発生手段８３から使用者へと伝達することが出来るため、１つの経路のみと比較して音や音声等の音圧を大きくすることができ明確に情報を伝達できる効果が得られる。
【００２８】
吸気経路８４と音が伝播する経路を兼用し前方放射と後方放射の両方の音により音圧を高め、鮮明な音を発することが可能となる。更に、後方に放射された音や音声は吸気経路８４を伝播して使用者まで伝達されるため伝達するまでの距離が前方に放射された音と比較して長い。
【００２９】
このことにより、音声発生手段８３が点音源であたかもあるかのように音響的には捉えることが出来る。よって、音声発生手段８３と使用者の位置関係に寄らず音圧や音質を比較的安定させて伝達することが可能となる。
【００３０】
音声発生手段８３を取り付ける構成としては前パネル８２にボスやリブ等を設けネジ等の固定手段で音声発生手段８３を固定することが望ましい。
【００３１】
固定手段には接着剤等他の固定手段を用いても同様の効果が得られる．前パネル８２にボスやリブ等を設けネジ等の固定手段で音声発生手段８３を固定する場合、飾り板８１に覆われた範囲内にボスやリブ等の構成することが望ましい。
【００３２】
なぜならば、前パネル前面のひけ等の外観を気にせず固定形状の構成が容易に可能となるためである。音声発生手段８３は吸気口１３よりも上方に設けられていることが望ましい。
【００３３】
なぜならば吸気口１３から調理等で発生した煮汁やその他の液体が冷却風と共に吸引された場合、音声発生手段８３の充電部へと至らない構成となるからである。そのため故障の可能性が少なく機器の信頼性耐久性が向上する。
【００３４】
また、特別、音声発生手段８３に防水構成手段を設けずにより安価に加熱調理器を提供できる。
【００３５】
以上のように、本参考の形態においては、使用者に対して調理器本体の状態や調理のタイミング等の情報を的確に正確に伝えることが出来る。機器から発せられる音声や報知等の情報が使用者にとって聞こえ易いと同時に調理器の内部部品の信頼性が増し、使い勝手も向上することができる。
【００３６】
（実施の形態１）
図４は本発明の第２の実施の形態における加熱調理器の詳細図を示すものである。更に飾り板８１の外周を前パネル８２に固定する．以上のように構成された加熱調理器の音声
伝達経路構成について、以下その動作、作用を説明する。
【００３７】
図４に示すように、音声発生手段８３の振動面は調理器本体１２前面と対向する向きにその面同士が略平行になるよう設けられている．音声発生手段８３の振動面からは調理器本体１２の前面側と後面側の２方向に音声や音の振動が放射される。
【００３８】
この２方向に放射される音声や音の振動の内、前面側に放射された音声や音の振動は調理器本体１２前面を構成する前パネル８２に伝達する。前パネル８２に伝達した音声や音の振動は調理器本体１２前面に取り付けられた飾り板８１に伝達する。
【００３９】
飾り板８１や前パネル８２に伝達した音声や音の振動は調理器本体１２外の空間に充満している空気を伝播し、使用者へと音や音声等が伝達する。飾り板８１に前パネル８２に音や音声等の振動を伝達する場合、物理的な接触が飾り板８１と前パネル８２に存在する構成であると伝達しやすい。
【００４０】
一方で飾り板８１は完全に前パネルと固定させる形状であってはならない、なぜならば完全固定としてしまうと飾り板８１に伝達した音や音声の振動の振幅が抑制され調理器本体１２外へと音や音声が伝達されにくくなる可能性がある。
【００４１】
以上のようなことから、飾り板８１に的確に振動を伝達すると同時に調理器本体外に音や音声を伝達しやすい構成とするためには飾り板の中央部分を固定せず外周を固定する形状が望ましい。
【００４２】
以上のように、本実施の形態においては、使用者に対して調理器本体の状態や調理のタイミング等の情報を的確に正確に伝えることが出来る．機器から発せられる音声や報知等の情報が使用者にとって聞こえ易いと同時に調理器の内部部品の信頼性が増し、使い勝手も向上することができる。
【００４３】
（実施の形態２）
図５は本発明の第２の実施の形態における加熱調理器の詳細図を示すものである。本発明の第１および２の実施の形態に加え、音声発生手段８３の前方の前パネル８２に貫通孔８５を有する構成とする．以上のように構成された加熱調理器の音声伝達経路構成について、以下その作用を説明する。
【００４４】
図５に示すように、音声発生手段８３の振動面は調理器本体１２前面と対向する向きにその面同士が略平行になるよう設けられている．音声発生手段８３の振動面からは調理器本体１２の前面側と後面側の２方向に音声や音の振動が放射される。
【００４５】
この２方向に放射される音声や音の振動の内、前面側に放射された音声や音の振動は調理器本体１２前面を構成する前パネル８２に伝達する．前パネル８２に伝達した音声や音の振動は調理器本体１２前面に取り付けられた飾り板８１に伝達する。
【００４６】
飾り板８１や前パネル８２に伝達した音声や音の振動は調理器本体１２外の空間に充満している空気を伝播し、使用者へと音や音声等が伝達する．前パネル８２に貫通孔８５を設けることで前パネル８２に伝達した音声や音の振動が調理器本体１２前面に取り付けられた飾り板８１に伝達しやすい構成となる。
【００４７】
以上のように、本実施の形態においては、音声発生手段８３の出力を上げることなく、より安価に使用者に対して機器の状態や調理のタイミング等の情報を音や音声等で的確に正確に伝えることが出来る．調理器本体１２から発せられる音声や報知等の情報が使用者
にとって聞こえ易く使い勝手が向上することができる。
【００４８】
（実施の形態３）
図６は本発明の第３の実施の形態における加熱調理器の詳細図を示すものである。基本的な構成は実施の形態３と同様であるため、構成の違うところのみを説明する。図６に示すように、音声発生手段８３の前方の前パネル８２に音声発生手段８３の周囲に当接する第１の凸形状８６を有する構成とする．以上のように構成された加熱調理器の音声伝達経路構成について、以下その作用を説明する。
【００４９】
図６に示すように、音声発生手段８３の振動面は調理器本体１２前面と対向する向きにその面同士が略平行になるよう設けられている．音声発生手段８３の振動面からは調理器本体１２の前面側と後面側の２方向に音声や音の振動が放射される。この２方向に放射される音声や音の振動の内、前面側に放射された音声や音の振動は調理器本体１２前面を構成する前パネル８２に伝達する。
【００５０】
前パネル８２に伝達した音声や音の振動は調理器本体１２前面に取り付けられた飾り板８１に伝達する．前パネル８２に第１の凸形状８６を設け音声発生手段８３の周囲に当接する構成であれば音声発生手段８３の振動面は自由に振動し音や音声を発生することが可能となると同時に音声発生手段８３からの振動が前パネル８２に伝達しやすい構成となることから飾り板８１にも振動が伝達され易くなり使用者に対して機器の状態や調理のタイミング等の情報を音や音声等で的確に正確に伝えることが出来る。
【００５１】
以上のように、本実施の形態においては、調理器本体１２から発せられる音声や報知等の情報が使用者にとって聞こえ易く使い勝手が向上する加熱調理器とすることが出来る。
【００５２】
（実施の形態４）
図７は本発明の第４の実施の形態における加熱調理器の詳細図を示すものである。基本的な構成は実施の形態４と同様であるため、構成の違うところのみを説明する。図７に示すように、音声発生手段８３の振動面から飾り板８１に至る第１の音声伝播経路８７の断面積が、音声発生手段８３の振動面から飾り板８１に近づくに従い大きくなる構成とする。
【００５３】
以上のように構成された加熱調理器の音声伝達経路構成について、以下その作用を説明する。
【００５４】
図７に示すように、音声発生手段８３の振動面から飾り板８１に至る第１の音声伝播経路８７の断面積が音声発生手段８３の振動面から飾り板８１に近づくに従い大きくなる構成とすることで、メガホン等と同様の効果が得られ、音声発生手段８３の振動面から放射された音や音声が周囲に散逸することなく、前面側に的確に放射される．このことにより、調理器本体１２の前面側に居る使用者に対し的確に音や音声の情報を正確に使えることが出来る。
【００５５】
以上のように、本実施の形態においては、調理器本体１２から発せられる音声や報知等の情報が使用者にとって聞こえ易く使い勝手が向上する加熱調理器とすることが出来る。
【００５６】
（実施の形態５）
図８は本発明の第５の実施の形態における加熱調理器の詳細図を示すものである。基本的な構成は実施の形態５と同様であるため、構成の違うところのみを説明する。
【００５７】
図８に示すように、音声発生手段８３の振動面の後方であって、音声発生手段８３の周
囲に当接する第２の凸形状８８を有し、前パネル８２に音声発生手段８３の周囲を挟み込み固定するスピーカ押さえ８９を有する構成とする。
【００５８】
以上のように構成された加熱調理器の音声伝達経路構成について、以下その作用を説明する。
【００５９】
図８に示すように、前パネル８２に音声発生手段８３の周囲を挟み込み固定するスピーカ押さえ８９を有する構成とすることで、音声発生手段８３の振動面は自由に振動し音や音声を発生することが可能となると同時に音声発生手段８３からの振動が前パネル８２に伝達しやすい構成となることから飾り板８１にも振動が伝達され易くなり使用者に対して機器の状態や調理のタイミング等の情報を音や音声等で的確に正確に伝えることが出来る。
【００６０】
以上のように、本実施の形態においては、調理器本体１２から発せられる音声や報知等の情報が使用者にとって聞こえ易く使い勝手が向上する加熱調理器とすることが出来る。
【００６１】
（実施の形態６）
図９は本発明の第６の実施の形態における加熱調理器の詳細図を示すものである。基本的な構成は実施の形態６と同様であるため、構成の違うところのみを説明する。図９に示すように、音声発生手段８３の振動面から吸気経路８４に至る第２の音声伝播経路９０の断面積が、音声発生手段の振動面から吸気経路８４に近づくに従い大きくなる構成とする。
【００６２】
以上のように構成された加熱調理器の音声伝達経路構成について、以下その動作、作用を説明する。
【００６３】
図９に示すように、音声発生手段８３の振動面から吸気経路８４に至る第２の音声伝播経路９０の断面積が、音声発生手段の振動面から吸気経路８４に近づくに従い大きくなる構成とすることで、メガホン等と同様の効果が得られ、音声発生手段８３の振動面から放射された音や音声が周囲に散逸することなく、後面側に的確に放射される。
【００６４】
このことにより、吸気経路８４を経由し、吸気口１３から調理器本体１２の前面側に居る使用者に対し的確に音や音声の情報すなわち機器の状態や調理のタイミング等の情報を音や音声等で的確に正確に伝えることが出来る。
【００６５】
以上のように、本実施の形態においては、調理器本体１２から発せられる音声や報知等の情報が使用者にとって聞こえ易く使い勝手が向上する加熱調理器とすることが出来る。
【産業上の利用可能性】
【００６６】
以上のように、本発明にかかる加熱調理器は、本発明の加熱調理器は、使用者に対し的確に音や音声の情報すなわち機器の状態や調理のタイミング等の情報を音や音声等で的確に正確に伝えることが出来る。よって調理器本体から発せられる音声や報知等の情報が使用者にとって聞こえ易く使い勝手が向上する加熱調理器とすることが出来るので、他の同じような強制空冷方式を構成する加熱調理機器等の用途に有効である。
【符号の説明】
【００６７】
１０  排気口
１１  熱源
１２  調理器本体
１３  吸気口
１４  発熱部位
１５  ファン
１７  ファン吸気口
２０  制御基板
８１  飾り板
８２  前パネル
８３  音声発生手段
８４  吸気経路
８５  貫通孔
８６  第１の凸形状
８７  第１の音声伝播経路
８８  第２の凸形状
８９  スピーカ押さえ
９０  第２の音声伝播経路
【図１】
2014238257.tif 000003
【図２】
2014238257.tif 000004
【図３】
2014238257.tif 000005
【図４】
2014238257.tif 000006
【図５】
2014238257.tif 000007
【図６】
2014238257.tif 000008
【図７】
2014238257.tif 000009
【図８】
2014238257.tif 000010
【図９】
2014238257.tif 000011